(57)【要約】【課題】熱交換ロスを低減させながら、複数の対象室の内部雰囲気を個別に冷却及び加熱することができる冷媒回路装置を提供すること。【解決手段】庫内熱交換器２０、圧縮機ＭＣ及び庫外熱交換器３０を直列に接続して構成され、各熱交換器間に配設されたキャピラリーチューブ４０と、庫外熱交換器３０の入口側の配管から分岐してその出口側の配管に合流する庫外熱交換器バイパス配管７０及びこれに配設された庫外熱交換器バイパスバルブＶ４と、キャピラリーチューブ４０の入口側の配管から分岐してその出口側の配管に合流する膨張機構バイパス配管５０及びこれに配設された膨張機構バイパスバルブＶ１１，Ｖ２１，Ｖ３１と、キャピラリーチューブ４０の入口側の配管から分岐してその下流側庫内熱交換器２０の出口側の配管に合流する庫内熱交換器バイパス配管６０及びこれに配設された庫内熱交換器バイパスバルブＶ１２，Ｖ２２，Ｖ３２とを備えている。【選択図】        図１
2010078185.tif 000002
【特許請求の範囲】
【請求項１】
各対象室の内部に配設された室内熱交換器と、前記対象室の外部に配設された圧縮機及び室外熱交換器とを配管にて直列に接続して構成された冷媒回路を有する冷媒回路装置であって、
前記冷媒回路は、
各熱交換器間に配設され、供給された冷媒を断熱膨張させる膨張機構と、
前記室外熱交換器の入口側に接続された配管の途中で分岐して該室外熱交換器の出口側に接続された配管に合流する態様で配設され、導入した冷媒を該室外熱交換器の直近の下流側にある膨張機構に送出する室外熱交換器バイパス配管と、
前記室外熱交換器バイパス配管に配設され、開閉することにより冷媒が該配管を通過することを許容、あるいは規制する室外熱交換器バイパスバルブと、
前記膨張機構の入口側に接続された配管の途中で分岐して、該膨張機構の出口側に接続された配管に合流する態様で配設され、導入した冷媒を該膨張機構の直近の下流側にある室内熱交換器に送出する膨張機構バイパス配管と、
前記膨張機構バイパス配管に配設され、開閉することにより冷媒が該配管を通過することを許容、あるいは規制する膨張機構バイパスバルブと、
前記膨張機構の入口側に接続された配管の途中で分岐して、該膨張機構の直近の下流側にある室内熱交換器の出口側に接続された配管に合流する態様で配設され、導入した冷媒を該室内熱交換器の下流側に送出する室内熱交換器バイパス配管と、
前記室内熱交換器バイパス配管に配設され、開閉することにより冷媒が該配管を通過することを許容、あるいは規制する室内熱交換器バイパスバルブと
を備えたことを特徴とする冷媒回路装置。
【請求項２】
前記対象室のそれぞれの内部雰囲気を個別に冷却、あるいは加熱する場合に、前記室外熱交換器バイパスバルブ、前記膨張機構バイパスバルブ及び前記室内熱交換器バイパスバルブの開閉を制御する制御手段を備えたことを特徴とする請求項１に記載の冷媒回路装置。
【発明の詳細な説明】
【技術分野】
【０００１】
本発明は、冷媒回路装置に関し、より詳細には、例えば自動販売機等に適用される冷媒回路装置に関する。
【背景技術】
【０００２】
従来、例えば自動販売機等に適用される冷媒回路装置として、自動販売機本体の内部に画成された商品収容庫のそれぞれの内部に配設された庫内熱交換器と、自動販売機本体の内部であって商品収容庫の外部となる機械室の内部に配設された圧縮機、庫外熱交換器及び膨張機構とを冷媒配管にて直列に接続して構成された冷媒回路を有するものが知られている（例えば、特許文献１参照）。
【０００３】
そのような冷媒回路装置においては、複数の庫内熱交換器が直列に接続されているために、上流側の庫内熱交換器での熱交換で余った熱を下流側の熱交換器で熱交換することができ、熱交換ロスを低減することができるという利点がある。
【０００４】
【特許文献１】特開２００６−１２５８００号公報
【発明の開示】
【発明が解決しようとする課題】
【０００５】
ところが、上述したような冷媒回路装置では、庫内熱交換器を単に直列に接続していたために、冷媒を冷媒回路で循環させることにより各商品収容庫の内部雰囲気を冷却するのみ、あるいは加熱するのみであれば可能であったが、それぞれの商品収容庫の内部雰囲気を個別に冷却及び加熱するのは困難であった。
【０００６】
本発明は、上記実情に鑑みて、熱交換ロスを低減させながら、複数の対象室の内部雰囲気を個別に冷却及び加熱することができる冷媒回路装置を提供することを目的とする。
【課題を解決するための手段】
【０００７】
上記目的を達成するために、本発明の請求項１に係る冷媒回路装置は、各対象室の内部に配設された室内熱交換器と、前記対象室の外部に配設された圧縮機及び室外熱交換器とを配管にて直列に接続して構成された冷媒回路を有する冷媒回路装置であって、前記冷媒回路は、各熱交換器間に配設され、供給された冷媒を断熱膨張させる膨張機構と、前記室外熱交換器の入口側に接続された配管の途中で分岐して該室外熱交換器の出口側に接続された配管に合流する態様で配設され、導入した冷媒を該室外熱交換器の直近の下流側にある膨張機構に送出する室外熱交換器バイパス配管と、前記室外熱交換器バイパス配管に配設され、開閉することにより冷媒が該配管を通過することを許容、あるいは規制する室外熱交換器バイパスバルブと、前記膨張機構の入口側に接続された配管の途中で分岐して、該膨張機構の出口側に接続された配管に合流する態様で配設され、導入した冷媒を該膨張機構の直近の下流側にある室内熱交換器に送出する膨張機構バイパス配管と、前記膨張機構バイパス配管に配設され、開閉することにより冷媒が該配管を通過することを許容、あるいは規制する膨張機構バイパスバルブと、前記膨張機構の入口側に接続された配管の途中で分岐して、該膨張機構の直近の下流側にある室内熱交換器の出口側に接続された配管に合流する態様で配設され、導入した冷媒を該室内熱交換器の下流側に送出する室内熱交換器バイパス配管と、前記室内熱交換器バイパス配管に配設され、開閉することにより冷媒が該配管を通過することを許容、あるいは規制する室内熱交換器バイパスバルブとを備えたことを特徴とする。
【０００８】
また、本発明の請求項２に係る冷媒回路装置は、上述した請求項１において、前記対象室のそれぞれの内部雰囲気を個別に冷却、あるいは加熱する場合に、前記室外熱交換器バイパスバルブ、前記膨張機構バイパスバルブ及び前記室内熱交換器バイパスバルブの開閉を制御する制御手段を備えたことを特徴とする。
【発明の効果】
【０００９】
本発明の冷媒回路装置によれば、室内熱交換器と、圧縮機及び室外熱交換器とを配管にて直列に接続して構成された冷媒回路に、膨張機構が各熱交換器間に配設され、室外熱交換器バイパス配管が室外熱交換器の入口側に接続された配管の途中で分岐して該室外熱交換器の出口側に接続された配管に合流する態様で配設され、室外熱交換器バイパス配管に配設された室外熱交換器バイパスバルブが、開閉することにより冷媒が該配管を通過することを許容、あるいは規制し、膨張機構バイパス配管が膨張機構の入口側に接続された配管の途中で分岐して、該膨張機構の出口側に接続された配管に合流する態様で配設され、膨張機構バイパス配管に配設された膨張機構バイパスバルブが、開閉することにより冷媒が該配管を通過することを許容、あるいは規制し、室内熱交換器バイパス配管が膨張機構の入口側に接続された配管の途中で分岐して、該膨張機構の直近の下流側にある室内熱交換器の出口側に接続された配管に合流する態様で配設され、室内熱交換器バイパス配管に配設された室内熱交換器バイパスバルブが、開閉することにより冷媒が該配管を通過することを許容、あるいは規制するので、上流側の室内熱交換器での熱交換で余った熱を下流側の室内熱交換器で熱交換することができ、熱交換ロスを低減することができる。特に、膨張機構で断熱膨張した冷媒が蒸発する室内熱交換器が複数ある場合には、冷媒を有効に蒸発させることができ、圧縮機に液相状態で吸引されてしまう事態、すなわち液バックを招来する虞れがない。また、各バイパスバルブを開閉させれば、各対象室の内部雰囲気を個別に冷却、あるいは加熱することができる。従って、熱交換ロスを低減させながら、複数の対象室の内部雰囲気を個別に冷却及び加熱することができるという効果を奏する。
【発明を実施するための最良の形態】
【００１０】
以下に添付図面を参照して、本発明に係る冷媒回路装置の好適な実施の形態について詳細に説明する。
【００１１】
図１は、本発明の実施の形態である冷媒回路装置を模式的に示す模式図である。ここで例示する冷媒回路装置は、冷媒回路１０を備えている。
【００１２】
冷媒回路１０は、庫内熱交換器２０、圧縮機ＭＣ及び庫外熱交換器３０を冷媒配管１１にて直列に接続して構成してあり、内部に冷媒が封入してある。
【００１３】
庫内熱交換器２０は、複数（図示の例では３つ）あり、自動販売機本体内部に画成された商品収容庫１２の内部にそれぞれ配設してある。ここで、商品収容庫１２は、自動販売機本体内部を断熱仕切板によって仕切ることによって画成された断熱構造を有する室（対象室）であり、缶入り飲料やペットボトル入り飲料等の商品を所望の温度に維持した状態で収容するためのものである。以下においては、図１において、商品収容庫１２のうち、符号１２１を左室、符号１２２を中室、符号１２３を右室とも称して説明する。左室１２１及び中室１２２の内部には、ヒータＨ１，Ｈ２が配設してある。ヒータＨ１，Ｈ２は、後述する制御手段Ｃから指令が与えられることにより、通電状態、あるいは非通電状態となり、通電状態の場合には対象となる商品収容庫１２の内部雰囲気を加熱するものである。
【００１４】
上記庫内熱交換器２０は、通過する冷媒と、商品収容庫１２の内部雰囲気との間で熱交換させる室内熱交換器であり、通過する冷媒を凝縮させる場合には、商品収容庫１２の内部雰囲気を加熱する一方、通過する冷媒を蒸発させる場合には、商品収容庫１２の内部雰囲気を冷却するものである。これら各庫内熱交換器２０の近傍には、庫内送風ファンＦが配設してある。以下においては、説明の便宜上、左室１２１の内部に配設した庫内熱交換器２０は第１庫内熱交換器２１、中室１２２の内部に配設した庫内熱交換器２０は第２庫内熱交換器２２、右室の内部に配設した庫内熱交換器２０は第３庫内熱交換器２３とも称する。
【００１５】
圧縮機ＭＣは、自動販売機本体内部であって、商品収容庫１２の外部となる例えば機械室に配設してある。この圧縮機ＭＣは、庫内熱交換器２０を通過した冷媒を吸引して圧縮し、圧縮した冷媒を吐出するものである。
【００１６】
庫外熱交換器３０は、圧縮機ＭＣと同様に例えば機械室に配設してある。この庫外熱交換器３０は、通過する冷媒と、機械室に進入する外気との間で熱交換させる室外熱交換器であり、冷媒を凝縮させて放熱させるものである。
【００１７】
そのような冷媒回路１０は、上記構成の他に、キャピラリーチューブ４０、膨張機構バイパス配管５０、庫内熱交換器バイパス配管６０、庫外熱交換器バイパス配管７０及び制御手段Ｃを備えている。
【００１８】
キャピラリーチューブ４０は、各熱交換器の間に配設されており、通過する冷媒を断熱膨張させる膨張機構である。図示の例では３つ設けてあり、説明の便宜上、庫外熱交換器３０と第１庫内熱交換器２１との間に配設されたもの、すなわち庫外熱交換器３０の出口側に接続された冷媒配管１１と、第１庫内熱交換器２１の入口側に配設された冷媒配管１１とに接続されて設けられたものを第１キャピラリーチューブ４１、第１庫内熱交換器２１と第２庫内熱交換器２２との間に配設されたもの、すなわち第１庫内熱交換器２１の出口側に接続された冷媒配管１１と、第２庫内熱交換器２２の入口側に配設された冷媒配管１１とに接続されて設けられたものを第２キャピラリーチューブ４２、第２庫内熱交換器２２と第３庫内熱交換器２３との間に配設されたもの、すなわち第２庫内熱交換器２２の出口側に接続された冷媒配管１１と、第３庫内熱交換器２３の入口側に配設された冷媒配管１１とに接続されて設けられたものを第３キャピラリーチューブ４３と称する。
【００１９】
膨張機構バイパス配管５０は、複数（図示の例では３つ）設けてあり、キャピラリーチューブ４０の入口側に接続された冷媒配管１１の途中で分岐して、該キャピラリーチューブ４０の出口側に接続された冷媒配管１１に合流する態様で配設したものである。この膨張機構バイパス配管５０は、導入した冷媒を該キャピラリーチューブ４０の直近の下流側にある庫内熱交換器２０に送出するものである。
【００２０】
ここで、第１キャピラリーチューブ４１の入口側に接続された冷媒配管１１（庫外熱交換器３０の出口側に接続された冷媒配管１１）の途中で分岐して、該第１キャピラリーチューブ４１の出口側に接続された冷媒配管１１（第１庫内熱交換器２１の入口側に接続された冷媒配管１１）に合流する態様で配設したもの第１膨張機構バイパス配管５１、第２キャピラリーチューブ４２の入口側に接続された冷媒配管１１（第１庫内熱交換器２１の出口側に接続された冷媒配管１１）の途中で分岐して、該第２キャピラリーチューブ４２の出口側に接続された冷媒配管１１（第２庫内熱交換器２２の入口側に接続された冷媒配管１１）に合流する態様で配設したもの第２膨張機構バイパス配管５２、第３キャピラリーチューブ４３の入口側に接続された冷媒配管１１（第２庫内熱交換器２２の出口側に接続された冷媒配管１１）の途中で分岐して、該第３キャピラリーチューブ４３の出口側に接続された冷媒配管１１（第３庫内熱交換器２３の入口側に接続された冷媒配管１１）に合流する態様で配設したもの第３膨張機構バイパス配管５３と称する。
【００２１】
これら膨張機構バイパス配管５０には、それぞれ膨張機構バイパスバルブＶ１１，Ｖ２１，Ｖ３１が配設してある。膨張機構バイパスバルブＶ１１，Ｖ２１，Ｖ３１は、例えば電磁弁のようなものであり、制御手段Ｃから開指令が与えられることにより開動作して膨張機構バイパス配管５０を冷媒が通過することを許容する一方、制御手段Ｃから閉指令が与えられることにより閉動作して膨張機構バイパス配管５０を冷媒が通過することを規制するものである。
【００２２】
以下においては、説明の便宜上、第１膨張機構バイパス配管５１に配設されたものを第１膨張機構バイパスバルブＶ１１、第２膨張機構バイパス配管５２に配設されたものを第２膨張機構バイパスバルブＶ２１、第３膨張機構バイパス配管５３に配設されたものを第３膨張機構バイパスバルブＶ３１と称する。
【００２３】
庫内熱交換器バイパス配管６０は、複数（図示の例では３つ）設けてあり、キャピラリーチューブ４０の入口側に接続された冷媒配管１１の途中で分岐して、該キャピラリーチューブ４０の直近の下流側になる庫内熱交換器２０の出口側に接続された冷媒配管１１に合流する態様で配設した室外熱交換器バイパス配管である。この庫内熱交換器バイパス配管６０は、導入した冷媒を該庫内熱交換器２０の下流側に送出するものである。
【００２４】
ここで、第１キャピラリーチューブ４１の入口側に接続された冷媒配管１１（庫外熱交換器３０の出口側に接続された冷媒配管１１）の途中で分岐して、該第１庫内熱交換器２１の出口側に接続された冷媒配管１１に合流する態様で配設したもの第１庫内熱交換器バイパス配管６１、第２キャピラリーチューブ４２の入口側に接続された冷媒配管１１（第１庫内熱交換器２１の出口側に接続された冷媒配管１１）の途中で分岐して、該第２庫内熱交換器２２の出口側に接続された冷媒配管１１に合流する態様で配設したもの第２庫内熱交換器バイパス配管６２、第３キャピラリーチューブ４３の入口側に接続された冷媒配管１１（第２庫内熱交換器２２の出口側に接続された冷媒配管１１）の途中で分岐して、該第３庫内熱交換器２３の出口側に接続された冷媒配管１１に合流する態様で配設したもの第３庫内熱交換器バイパス配管６３と称する。
【００２５】
これら庫内熱交換器バイパス配管６０には、それぞれ庫内熱交換器バイパスバルブＶ１２，Ｖ２２，Ｖ３２が配設してある。庫内熱交換器バイパスバルブＶ１２，Ｖ２２，Ｖ３２は、例えば電磁弁のようなものであり、制御手段Ｃから開指令が与えられることにより開動作して庫内熱交換器バイパス配管６０を冷媒が通過することを許容する一方、制御手段Ｃから閉指令が与えられることにより閉動作して庫内熱交換器バイパス配管６０を冷媒が通過することを規制するものである。
【００２６】
以下においては、説明の便宜上、第１庫内熱交換器バイパス配管６１に配設されたものを第１庫内熱交換器バイパスバルブＶ１２、第２庫内熱交換器バイパス配管６２に配設されたものを第２庫内熱交換器バイパスバルブＶ２２、第３庫内熱交換器バイパス配管６３に配設されたものを第３庫内熱交換器バイパスバルブＶ３２と称する。
【００２７】
庫外熱交換器バイパス配管７０は、庫外熱交換器３０の入口側に接続された冷媒配管１１（圧縮機ＭＣの出口側に接続された冷媒配管１１）の途中で分岐して、該庫外熱交換器３０の出口側に接続された冷媒配管１１に合流する態様で配設した室外熱交換器バイパス配管である。この庫外熱交換器バイパス配管７０は、導入した冷媒を該庫外熱交換器３０の下流側に送出するものである。
【００２８】
このような庫外熱交換器バイパス配管７０には、庫外熱交換器バイパスバルブＶ４が配設してある。庫外熱交換器バイパスバルブＶ４は、例えば電磁弁のようなものであり、制御手段Ｃから開指令が与えられることにより開動作して庫外熱交換器バイパス配管７０を冷媒が通過することを許容する一方、制御手段Ｃから閉指令が与えられることにより閉動作して庫外熱交換器バイパス配管７０を冷媒が通過することを規制するものである。
【００２９】
制御手段Ｃは、冷媒回路１０を構成する種々の機器の動作を制御するためのものである。より詳細には、圧縮機ＭＣの駆動、ヒータＨ１，Ｈ２の駆動、並びに膨張機構バイパスバルブＶ１１，Ｖ２１，Ｖ３１、庫内熱交換器バイパスバルブＶ１２，Ｖ２２，Ｖ３２及び庫外熱交換器バイパスバルブＶ４の開閉動作を制御するものである。このような制御手段Ｃは、内蔵するメモリ（図示せず）に図２に示すような制御テーブルが予め記憶してあり、図示せぬ入力手段を通じて入力された指令に従って各設定モードで冷媒回路１０の種々の機器を動作させる。
【００３０】
以下に各設定モードでの冷媒回路装置の動作について説明する。まず、すべての商品収容庫の内部雰囲気を冷却する場合（以下、ＣＣＣモードとも称する）について説明する。
【００３１】
＜ＣＣＣモード＞
ＣＣＣモードの場合、制御手段Ｃは、圧縮機ＭＣに対し駆動指令を与えるとともに、第２膨張機構バイパスバルブＶ２１及び第３膨張機構バイパスバルブＶ３１に開指令を与える一方、その他のバイパスバルブには閉指令を与える。また、ヒータＨ１，Ｈ２の駆動を停止させ非通電状態にさせる。
【００３２】
これにより、図３に示すように、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００３３】
第１庫内熱交換器２１で蒸発した冷媒は、第２膨張機構バイパスバルブＶ２１が開成しているので、第２膨張機構バイパス配管５２を通過して、第２庫内熱交換器２２に至る。第２庫内熱交換器２２に至った冷媒は、該第２庫内熱交換器２２を通過しながら、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。
【００３４】
第２庫内熱交換器２２で蒸発した冷媒は、第３膨張機構バイパスバルブＶ３１が開成しているので、第３膨張機構バイパス配管５３を通過して、第３庫内熱交換器２３に至る。第３庫内熱交換器２３に至った冷媒は、該第３庫内熱交換器２３を通過しながら、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００３５】
このようなＣＣＣモードの変形例として、左室１２１及び右室１２３のみを冷却する場合には、制御手段Ｃは、圧縮機ＭＣに対し駆動指令を与えるとともに、第２庫内熱交換器バイパスバルブＶ２２及び第３膨張機構バイパスバルブＶ３１に開指令を与える一方、その他のバイパスバルブには閉指令を与える。
【００３６】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００３７】
第１庫内熱交換器２１で蒸発した冷媒は、第２庫内熱交換器バイパスバルブＶ２２及び第３膨張機構バイパスバルブＶ３１が開成しているので、第２庫内熱交換器バイパス配管６２を通過した後に、第３膨張機構バイパス配管５３を通過して、第３庫内熱交換器２３に至る。第３庫内熱交換器２３に至った冷媒は、該第３庫内熱交換器２３を通過しながら、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００３８】
上記ＣＣＣモードの変形例として、中室１２２及び右室１２３のみを冷却する場合には、制御手段Ｃは、圧縮機ＭＣに対し駆動指令を与えるとともに、第１庫内熱交換器バイパスバルブＶ１２及び第３膨張機構バイパスバルブＶ３１に開指令を与える一方、その他のバイパスバルブには閉指令を与える。
【００３９】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１庫内熱交換器バイパスバルブＶ１２が開成しているので、第１庫内熱交換器バイパス配管６１を通過して第２キャピラリーチューブ４２に至り、この第２キャピラリーチューブ４２を通過して断熱膨張する。断熱膨張した冷媒は、第２庫内熱交換器２２を通過し、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。
【００４０】
第２庫内熱交換器２２で蒸発した冷媒は、第３膨張機構バイパスバルブＶ３１が開成しているので、第３膨張機構バイパス配管５３を通過して、第３庫内熱交換器２３に至る。第３庫内熱交換器２３に至った冷媒は、該第３庫内熱交換器２３を通過しながら、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００４１】
上記ＣＣＣモードの変形例として、左室１２１及び中室１２２のみを冷却する場合には、制御手段Ｃは、圧縮機ＭＣに対し駆動指令を与えるとともに、第２膨張機構バイパスバルブＶ２１及び第３庫内熱交換器バイパスバルブＶ３２に開指令を与える一方、その他のバイパスバルブには閉指令を与える。
【００４２】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００４３】
第１庫内熱交換器２１で蒸発した冷媒は、第２膨張機構バイパスバルブＶ２１が開成しているので、第２膨張機構バイパス配管５２を通過して、第２庫内熱交換器２２に至る。第２庫内熱交換器２２に至った冷媒は、該第２庫内熱交換器２２を通過しながら、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。
【００４４】
第２庫内熱交換器２２を通過した冷媒は、第３庫内熱交換器バイパスバルブＶ３２が開成しているので、第３庫内熱交換器バイパス配管６３を通過した後に圧縮機ＭＣに吸引され、再度圧縮機ＭＣで圧縮されて冷媒回路１０の循環を繰り返す。
【００４５】
上記ＣＣＣモードの変形例として、左室１２１のみを冷却する場合には、制御手段Ｃは、圧縮機ＭＣに対し駆動指令を与えるとともに、第２庫内熱交換器バイパスバルブＶ２２及び第３庫内熱交換器バイパスバルブＶ３２に開指令を与える一方、その他のバイパスバルブには閉指令を与える。
【００４６】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００４７】
第１庫内熱交換器２１で蒸発した冷媒は、第２庫内熱交換器バイパスバルブＶ２２及び第３庫内熱交換器バイパスバルブＶ３２が開成しているので、第２庫内熱交換器バイパス配管６２及び第３庫内熱交換器バイパス配管６３を通過した後に圧縮機ＭＣに吸引され、再度圧縮機ＭＣで圧縮されて冷媒回路１０の循環を繰り返す。
【００４８】
上記ＣＣＣモードの変形例として、中室１２２のみを冷却する場合には、制御手段Ｃは、圧縮機ＭＣに対し駆動指令を与えるとともに、第１庫内熱交換器バイパスバルブＶ１２及び第３庫内熱交換器バイパスバルブＶ３２に開指令を与える一方、その他のバイパスバルブには閉指令を与える。
【００４９】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１庫内熱交換器バイパスバルブＶ１２が開成しているので、第１庫内熱交換器バイパス配管６１を通過して第２キャピラリーチューブ４２に至り、この第２キャピラリーチューブ４２を通過して断熱膨張する。断熱膨張した冷媒は、第２庫内熱交換器２２を通過し、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。第２庫内熱交換器２２で蒸発した冷媒は、第３庫内熱交換器バイパスバルブＶ３２が開成しているので、第３庫内熱交換器バイパス配管６３を通過した後に圧縮機ＭＣに吸引され、再度圧縮機ＭＣで圧縮されて冷媒回路１０の循環を繰り返す。
【００５０】
上記ＣＣＣモードの変形例として、右室１２３のみを冷却する場合には、制御手段Ｃは、圧縮機ＭＣに対し駆動指令を与えるとともに、第１庫内熱交換器バイパスバルブＶ１２及び第２庫内熱交換器バイパスバルブＶ２２に開指令を与える一方、その他のバイパスバルブには閉指令を与える。
【００５１】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１庫内熱交換器バイパスバルブＶ１２及び第２庫内熱交換器バイパスバルブＶ２２が開成しているので、第１庫内熱交換器バイパス配管６１及び第２庫内熱交換器バイパス配管６２を通過して第３キャピラリーチューブ４３に至り、この第３キャピラリーチューブ４３を通過して断熱膨張する。断熱膨張した冷媒は、第３庫内熱交換器２３を通過し、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３で蒸発した冷媒は、圧縮機ＭＣに吸引され、再度圧縮機ＭＣで圧縮されて冷媒回路１０の循環を繰り返す。
【００５２】
次に、左室１２１の内部雰囲気を加熱し、中室１２２及び右室１２３の内部雰囲気を冷却する場合（以下、ＨＣＣモードとも称する）について説明する。
【００５３】
＜ＨＣＣモード＞
ＨＣＣモードの場合、制御手段Ｃは、圧縮機ＭＣに対し駆動指令を与えるとともに、第１膨張機構バイパスバルブＶ１１、第３膨張機構バイパスバルブＶ３１及び庫外熱交換器バイパスバルブＶ４に開指令を与える一方、その他のバイパスバルブには閉指令を与える。また、ヒータＨ１，Ｈ２の駆動を停止させ非通電状態にさせる。
【００５４】
これにより、図４に示すように、圧縮機ＭＣで圧縮された冷媒は、庫外熱交換器バイパスバルブＶ４が開成しているので、庫外熱交換器バイパス配管７０を通過する。庫外熱交換器バイパス配管７０を通過した冷媒は、下流側の冷媒配管１１を通過し、第１膨張機構バイパスバルブＶ１１が開成しているので、第１膨張機構バイパス配管５１を通過して、第１庫内熱交換器２１に至る。第１庫内熱交換器２１に至った冷媒は、該第１庫内熱交換器２１を通過し、左室１２１の内部雰囲気と熱交換を行って凝縮する。これにより左室１２１の内部雰囲気は加熱され、庫内送風ファンＦにより左室１２１を循環して左室１２１の内部に収容された商品を加熱する。
【００５５】
第１庫内熱交換器２１で凝縮した冷媒は、第２キャピラリーチューブ４２に至り、この第２キャピラリーチューブ４２を通過して断熱膨張する。断熱膨張した冷媒は、第２庫内熱交換器２２を通過し、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。
【００５６】
第２庫内熱交換器２２で蒸発した冷媒は、第３膨張機構バイパスバルブＶ３１が開成しているので、第３膨張機構バイパス配管５３を通過して、第３庫内熱交換器２３に至る。第３庫内熱交換器２３に至った冷媒は、該第３庫内熱交換器２３を通過しながら、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００５７】
このようなＨＣＣモードの変形例として、左室１２１を加熱し、右室１２３を冷却する場合には、制御手段Ｃは、圧縮機ＭＣに対し駆動指令を与えるとともに、第１膨張機構バイパスバルブＶ１１、第２庫内熱交換器バイパスバルブＶ２２及び庫外熱交換器バイパスバルブＶ４に開指令を与える一方、その他のバイパスバルブには閉指令を与える。
【００５８】
これにより、圧縮機ＭＣで圧縮された冷媒は、庫外熱交換器バイパスバルブＶ４が開成しているので、庫外熱交換器バイパス配管７０を通過する。庫外熱交換器バイパス配管７０を通過した冷媒は、下流側の冷媒配管１１を通過し、第１膨張機構バイパスバルブＶ１１が開成しているので、第１膨張機構バイパス配管５１を通過して、第１庫内熱交換器２１に至る。第１庫内熱交換器２１に至った冷媒は、該第１庫内熱交換器２１を通過し、左室１２１の内部雰囲気と熱交換を行って凝縮する。これにより左室１２１の内部雰囲気は加熱され、庫内送風ファンＦにより左室１２１を循環して左室１２１の内部に収容された商品を加熱する。
【００５９】
第１庫内熱交換器２１で凝縮した冷媒は、第２庫内熱交換器バイパスバルブＶ２２が開成しているので、第２庫内熱交換器バイパス配管６２を通過した後に第３キャピラリーチューブ４３に至り、この第３キャピラリーチューブ４３を通過して断熱膨張する。断熱膨張した冷媒は、第３庫内熱交換器２３を通過し、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００６０】
上記ＨＣＣモードの変形例として、左室１２１を加熱し、中室１２２を冷却する場合には、制御手段Ｃは、圧縮機ＭＣに対し駆動指令を与えるとともに、第１膨張機構バイパスバルブＶ１１、第３庫内熱交換器バイパスバルブＶ３２及び庫外熱交換器バイパスバルブＶ４に開指令を与える一方、その他のバイパスバルブには閉指令を与える。
【００６１】
これにより、圧縮機ＭＣで圧縮された冷媒は、庫外熱交換器バイパスバルブＶ４が開成しているので、庫外熱交換器バイパス配管７０を通過する。庫外熱交換器バイパス配管７０を通過した冷媒は、下流側の冷媒配管１１を通過し、第１膨張機構バイパスバルブＶ１１が開成しているので、第１膨張機構バイパス配管５１を通過して、第１庫内熱交換器２１に至る。第１庫内熱交換器２１に至った冷媒は、該第１庫内熱交換器２１を通過し、左室１２１の内部雰囲気と熱交換を行って凝縮する。これにより左室１２１の内部雰囲気は加熱され、庫内送風ファンＦにより左室１２１を循環して左室１２１の内部に収容された商品を加熱する。
【００６２】
第１庫内熱交換器２１で凝縮した冷媒は、第２キャピラリーチューブ４２に至り、この第２キャピラリーチューブ４２を通過して断熱膨張する。断熱膨張した冷媒は、第２庫内熱交換器２２を通過し、中室１２２の内部雰囲気と熱交換を行って蒸発する。これにより中室１２２の内部雰囲気は冷却され、庫内送風ファンＦにより中室１２２を循環して中室１２２の内部に収容された商品を冷却する。
【００６３】
第２庫内熱交換器２２を通過した冷媒は、第３庫内熱交換器バイパスバルブＶ３２が開成しているので、第３庫内熱交換器バイパス配管６３を通過した後に圧縮機ＭＣに吸引され、再度圧縮機ＭＣで圧縮されて冷媒回路１０の循環を繰り返す。
【００６４】
上記ＨＣＣモードの変形例として、左室１２１のみを加熱する場合には、制御手段Ｃは、圧縮機ＭＣに対し駆動停止指令を与え、ヒータＨ１のみに駆動指令を与える。これにより、冷媒回路１０を冷媒が循環することはなく、ヒータＨ１が通電状態となって左室１２１の内部雰囲気が加熱され、左室１２１に収容された商品を加熱する。
【００６５】
次に、左室１２１及び中室１２２の内部雰囲気を加熱し、右室１２３の内部雰囲気を冷却する場合（以下、ＨＨＣモードとも称する）について説明する。
【００６６】
＜ＨＨＣモード＞
ＨＨＣモードの場合、制御手段Ｃは、圧縮機ＭＣに対し駆動指令を与えるとともに、第１膨張機構バイパスバルブＶ１１、第２膨張機構バイパスバルブＶ２１及び庫外熱交換器バイパスバルブＶ４に開指令を与える一方、その他のバイパスバルブには閉指令を与える。また、ヒータＨ１，Ｈ２の駆動を停止させ非通電状態にさせる。
【００６７】
これにより、図５に示すように、圧縮機ＭＣで圧縮された冷媒は、庫外熱交換器バイパスバルブＶ４が開成しているので、庫外熱交換器バイパス配管７０を通過する。庫外熱交換器バイパス配管７０を通過した冷媒は、下流側の冷媒配管１１を通過し、第１膨張機構バイパスバルブＶ１１が開成しているので、第１膨張機構バイパス配管５１を通過して、第１庫内熱交換器２１に至る。第１庫内熱交換器２１に至った冷媒は、該第１庫内熱交換器２１を通過し、左室１２１の内部雰囲気と熱交換を行って凝縮する。これにより左室１２１の内部雰囲気は加熱され、庫内送風ファンＦにより左室１２１を循環して左室１２１の内部に収容された商品を加熱する。
【００６８】
第１庫内熱交換器２１で凝縮した冷媒は、第２膨張機構バイパスバルブＶ２１が開成しているので、第２膨張機構バイパス配管５２を通過して、第２庫内熱交換器２２に至る。第２庫内熱交換器２２に至った冷媒は、該第２庫内熱交換器２２を通過し、中室１２２の内部雰囲気と熱交換を行って凝縮する。これにより中室１２２の内部雰囲気は加熱され、庫内送風ファンＦにより中室１２２を循環して中室１２２の内部に収容された商品を加熱する。
【００６９】
第２庫内熱交換器２２で凝縮した冷媒は、第３キャピラリーチューブ４３に至り、この第３キャピラリーチューブ４３を通過して断熱膨張する。断熱膨張した冷媒は、第３庫内熱交換器２３を通過し、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３で蒸発した冷媒は、第３庫内熱交換器２３を通過した冷媒は、圧縮機ＭＣに吸引され、再度圧縮機ＭＣで圧縮されて冷媒回路１０の循環を繰り返す。
【００７０】
このようなＨＨＣモードの変形例として、中室１２２を加熱し、右室１２３を冷却する場合には、制御手段Ｃは、圧縮機ＭＣに対し駆動指令を与えるとともに、第１庫内熱交換器バイパスバルブＶ１２、第２膨張機構バイパスバルブＶ２１及び庫外熱交換器バイパスバルブＶ４に開指令を与える一方、その他のバイパスバルブには閉指令を与える。
【００７１】
これにより、圧縮機ＭＣで圧縮された冷媒は、庫外熱交換器バイパスバルブＶ４が開成しているので、庫外熱交換器バイパス配管７０を通過する。庫外熱交換器バイパス配管７０を通過した冷媒は、下流側の冷媒配管１１を通過し、第１庫内熱交換器バイパスバルブＶ１２及び第２膨張機構バイパスバルブＶ２１が開成しているので、第１庫内熱交換器バイパス配管６１及び第２膨張機構バイパス配管５２を通過し、第２庫内熱交換器２２に至る。第２庫内熱交換器２２に至った冷媒は、該第２庫内熱交換器２２を通過し、中室１２２の内部雰囲気と熱交換を行って凝縮する。これにより中室１２２の内部雰囲気は加熱され、庫内送風ファンＦにより中室１２２を循環して中室１２２の内部に収容された商品を加熱する。
【００７２】
第２庫内熱交換器２２で凝縮した冷媒は、第３キャピラリーチューブ４３に至り、この第３キャピラリーチューブ４３を通過して断熱膨張する。断熱膨張した冷媒は、第３庫内熱交換器２３を通過し、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３を通過した冷媒は、圧縮機ＭＣに吸引され、再度圧縮機ＭＣで圧縮されて冷媒回路１０の循環を繰り返す。
【００７３】
上記ＨＨＣモードの変形例として、左室１２１及び中室１２２を加熱する場合には、制御手段Ｃは、圧縮機ＭＣに対し駆動停止指令を与え、ヒータＨ１，Ｈ２に駆動指令を与える。これにより、冷媒回路１０を冷媒が循環することはなく、ヒータＨ１，Ｈ２が通電状態となって左室１２１及び中室１２２の内部雰囲気が加熱され、左室１２１及び中室１２２に収容された商品を加熱する。
【００７４】
上記ＨＨＣモードの変形例として、中室１２２のみを加熱する場合には、制御手段Ｃは、圧縮機ＭＣに対し駆動停止指令を与え、ヒータＨ２のみに駆動指令を与える。これにより、冷媒回路１０を冷媒が循環することはなく、ヒータＨ２が通電状態となって中室１２２の内部雰囲気が加熱され、中室１２２に収容された商品を加熱する。
【００７５】
最後に、左室１２１及び右室１２３の内部雰囲気を冷却し、中室１２２の内部雰囲気を加熱する場合（以下、ＣＨＣモードとも称する）について説明する。
【００７６】
＜ＣＨＣモード＞
ＣＨＣモードの場合、制御手段Ｃは、圧縮機ＭＣに対し駆動指令を与えるとともに、第２庫内熱交換器バイパスバルブＶ２２及び第３膨張機構バイパスバルブＶ３１に開指令を与える一方、その他のバイパスバルブには閉指令を与える。また、ヒータＨ２のみを駆動させ通電状態にさせる。
【００７７】
これにより、図６に示すように、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００７８】
第１庫内熱交換器２１で蒸発した冷媒は、第２庫内熱交換器バイパスバルブＶ２２及び第３膨張機構バイパスバルブＶ３１が開成しているので、第２庫内熱交換器バイパス配管６２及び第３膨張機構バイパス配管５３を通過して、第３庫内熱交換器２３に至る。第３庫内熱交換器２３に至った冷媒は、該第３庫内熱交換器２３を通過しながら、右室１２３の内部雰囲気と熱交換を行って蒸発する。これにより右室１２３の内部雰囲気は冷却され、庫内送風ファンＦにより右室１２３を循環して右室１２３の内部に収容された商品を冷却する。第３庫内熱交換器２３で蒸発した冷媒は、圧縮機ＭＣに吸引され、再度圧縮機ＭＣで圧縮されて冷媒回路１０の循環を繰り返す。ここで、中室１２２では、ヒータＨ２が通電状態となって内部雰囲気が加熱され、中室１２２に収容された商品を加熱する。
【００７９】
このようなＣＨＣモードの変形例として、左室１２１を冷却し、中室１２２を加熱する場合には、制御手段Ｃは、圧縮機ＭＣに対し駆動指令を与えるとともに、第２庫内熱交換器バイパスバルブＶ２２及び第３庫内熱交換器バイパスバルブＶ３２に開指令を与える一方、その他のバイパスバルブには閉指令を与える。
【００８０】
これにより、圧縮機ＭＣで圧縮された冷媒は、庫外熱交換器３０を通過する。かかる庫外熱交換器３０を通過する冷媒は、機械室に進入する外気に放熱して凝縮する。庫外熱交換器３０で凝縮した冷媒は、第１キャピラリーチューブ４１に至り、この第１キャピラリーチューブ４１を通過して断熱膨張する。断熱膨張した冷媒は、第１庫内熱交換器２１を通過し、左室１２１の内部雰囲気と熱交換を行って蒸発する。これにより左室１２１の内部雰囲気は冷却され、庫内送風ファンＦにより左室１２１を循環して左室１２１の内部に収容された商品を冷却する。
【００８１】
第１庫内熱交換器２１で蒸発した冷媒は、第２庫内熱交換器バイパスバルブＶ２２及び第３庫内熱交換器バイパスバルブＶ３２が開成しているので、第２庫内熱交換器バイパス配管６２及び第３庫内熱交換器バイパス配管６３を通過した後、圧縮機ＭＣに吸引され、再度圧縮機ＭＣで圧縮されて冷媒回路１０の循環を繰り返す。ここで、中室１２２では、ヒータＨ２が通電状態となって内部雰囲気が加熱され、中室１２２に収容された商品を加熱する。
【００８２】
以上説明したように、本発明の実施の形態である冷媒回路装置においては、庫内熱交換器２０、圧縮機ＭＣ及び庫外熱交換器３０が冷媒配管１１にて直列に接続されて成る冷媒回路１０に、キャピラリーチューブ４０が各熱交換器間に配設され、庫外熱交換器バイパス配管７０が庫外熱交換器３０の入口側に接続された冷媒配管１１の途中で分岐して庫外熱交換器３０の出口側に接続された冷媒配管１１に合流する態様で配設され、庫外熱交換器バイパスバルブＶ４が庫外熱交換器バイパス配管７０に配設され、膨張機構バイパス配管５０がキャピラリーチューブ４０の入口側に接続された冷媒配管１１の途中で分岐して、該キャピラリーチューブ４０の出口側に接続された冷媒配管１１に合流する態様で配設され、膨張機構バイパスバルブＶ１１，Ｖ２１，Ｖ３１が膨張機構バイパス配管５０に配設され、庫内熱交換器バイパス配管６０がキャピラリーチューブ４０の入口側に接続された冷媒配管１１の途中で分岐して、該キャピラリーチューブ４０の直近の下流側にある庫内熱交換器２０の出口側に接続された冷媒配管１１に合流する態様で配設され、庫内熱交換器バイパスバルブＶ１２，Ｖ２２，Ｖ３２が庫内熱交換器バイパス配管６０に配設されているために、次のような作用効果を奏する。
【００８３】
すなわち、複数の庫内熱交換器２０が直列に接続されているために、上流側の庫内熱交換器２０での熱交換で余った熱を下流側の庫内熱交換器２０で熱交換することができ、熱交換ロスを低減することができる。特に、キャピラリーチューブ４０で断熱膨張した冷媒が蒸発する庫内熱交換器２０が複数ある場合には、冷媒を有効に蒸発させることができ、圧縮機ＭＣに液相状態で吸引されてしまう事態、すなわち液バックを招来する虞れがない。また、各バイパスバルブを設定モードに応じて開閉させれば、各商品収容庫１２の内部雰囲気を個別に冷却、あるいは加熱することができる。従って、熱交換ロスを低減させながら、複数の商品収容庫１２の内部雰囲気を個別に冷却及び加熱することができる。
【００８４】
上記冷媒回路装置によれば、各バイパスバルブが閉成した状態で故障しても、冷媒回路１０を冷媒が循環することが可能であり、回路内が異常高圧等になり圧縮機ＭＣの破損等を招来する虞れがない。
【００８５】
以上、本発明の好適な実施の形態について説明したが、本発明はこれに限定されるものではなく、種々の変更を行うことができる。例えば、上述した実施の形態では、庫外熱交換器バイパスバルブＶ４を用いていたが、本発明では、三方弁を用いても良い。また、必要に応じてアキュムレータや内部熱交換器を配設しても構わない。
【図面の簡単な説明】
【００８６】
【図１】本発明の実施の形態である冷媒回路装置を模式的に示す模式図である。
【図２】図１に示した制御手段に予め設定された制御テーブルの一例を示す図表である。
【図３】本発明の実施の形態である冷媒回路装置を模式的に示す模式図である。
【図４】本発明の実施の形態である冷媒回路装置を模式的に示す模式図である。
【図５】本発明の実施の形態である冷媒回路装置を模式的に示す模式図である。
【図６】本発明の実施の形態である冷媒回路装置を模式的に示す模式図である。
【符号の説明】
【００８７】
１０      冷媒回路
１１      冷媒配管
１２      商品収容庫
１２１      左室
１２２      中室
１２３      右室
２０      庫内熱交換器
２１      第１庫内熱交換器
２２      第２庫内熱交換器
２３      第３庫内熱交換器
３０      庫外熱交換器
４０      キャピラリーチューブ
４１      第１キャピラリーチューブ
４２      第２キャピラリーチューブ
４３      第３キャピラリーチューブ
５０      膨張機構バイパス配管
５１      第１膨張機構バイパス配管
５２      第２膨張機構バイパス配管
５３      第３膨張機構バイパス配管
６０      庫内熱交換器バイパス配管
６１      第１庫内熱交換器バイパス配管
６２      第２庫内熱交換器バイパス配管
６３      第３庫内熱交換器バイパス配管
７０      庫外熱交換器バイパス配管
Ｖ１１      第１膨張機構バイパスバルブ
Ｖ２１      第２膨張機構バイパスバルブ
Ｖ３１      第３膨張機構バイパスバルブ
Ｖ１２      第１庫内熱交換器バイパスバルブ
Ｖ２２      第２庫内熱交換器バイパスバルブ
Ｖ３２      第３庫内熱交換器バイパスバルブ
Ｖ４      庫外熱交換器バイパスバルブ
Ｈ１，Ｈ２  ヒータ
Ｃ      制御手段
ＭＣ      圧縮機
Ｆ      庫内送風ファン
【図１】
2010078185.tif 000003
【図２】
2010078185.tif 000004
【図３】
2010078185.tif 000005
【図４】
2010078185.tif 000006
【図５】
2010078185.tif 000007
【図６】
2010078185.tif 000008